(57)【特許請求の範囲】
【請求項１】
トリガーの操作によりコッキング状態にあるシアを解除するようにした模擬銃において、
トリガーとシアとの間に配置される中間部材を銃本体に回転可能に軸支し、
中間部材はその軸支点から離れた回転端部側にてシアと係脱可能に係止しており、
上記軸支点とシアとの係止点との間にトリガーの操作力が作用するように構成され、
前記中間部材にはトリガーの操作方向に対向する側からスプリングが作用しており、スプリングの強弱調整のために、上記スプリングを受け止める箇所に調整ネジが設けられているトリガー装置。
【請求項２】
模擬銃がピストンシリンダー機構を備えており、コッキングによりピストンの加圧方向に作用する力がシアに加わっており、そのシアに加わった力を受け止めている中間部材に対して交差方向からトリガーの操作力が作用するように構成された請求項１記載の模擬銃におけるトリガー装置。
【請求項３】
シアは銃本体側に取り付けた第一シアと第一シアに取り付けた第二シアとを有しており、第二シアがピストンと係止し、中間部材は、トリガーの操作によりコッキング状態にある第一シアを解除するために第一シアと係止し、係止からの離脱により第二シアがピストンとの係止から離脱するように構成された請求項２記載の模擬銃におけるトリガー装置。
【発明の詳細な説明】
【技術分野】
【０００１】
本発明は、トリガーの操作によりコッキング状態にあるシアを解除するようにした模擬銃におけるトリガー装置に関するものである。
【背景技術】
【０００２】
いわゆるＢＢ弾を発射する模擬銃はエアソフトガンなどとも呼ばれ、年少者向けのものから１８歳以上を対象とするものまで多様な種類の銃があり、広く用いられている。特に成人向けに提供される銃は趣味的要素の高いものとして発展して来た側面があり、そのために実銃そっくりの形状、構造、操作性を備えるものが望まれている。しかし、形状と操作性を実銃と同等にできたとしても、内部の機構が異なるのは当然のことである。【０００３】
模擬銃と実銃は根本的に相違するものであるが、それにも拘らず、使用者にとって共通する要求もある。例えば、トリガー或いは引き金と呼ばれる発射装置の、特に動作感に関する要求である。模擬銃においても精密な操作と高い集弾性が要求されることは実銃と同様であり、トリガー操作の際の動作感が適切でない場合にはブレを生じ、狙い通りの射撃成績を収めることができない結果となる。【０００４】
本件出願人も従来からこの点を解決すべき技術的な問題点として把握しており、かつて特開２００５−１１４２６０号の発明を提案した。同号の発明は強力なばね等を使用する模擬銃であってもより軽快な操作で弾丸を発射可能としたもので、引き金を引いたときに中間部材を梃子作用により他の位置に移動させ、それに伴ってシア部材による掛け止めを外すようにするという構成を有していた。【０００５】
しかし、上記の発明にいわゆる中間部材はシア部材の一部であり、その後端の係合部が引き金の上部に負荷として掛かる構成になっている。その結果、コッキングを完了している状態では、ピストンシリンダー機構においてピストンを加圧する力がシア部材及び中間部材を介して引き金に掛かり易くなる。上記の負荷は引き金を操作する際に作用し、それが抵抗として感じられることになるので、それまでの銃との比較においては兎も角、より微妙な動作感の向上という要求には不十分と感じられる恐れがある。
【先行技術文献】
【特許文献】
【０００６】
【特許文献１】特開２００５−１１４２６０号公報
【発明の概要】
【発明が解決しようとする課題】
【０００７】
本発明は前記の点に鑑みなされたもので、その課題は、模擬銃におけるトリガーの動作感をより向上させることである。また、本発明の他の課題は、使用者自身によって微妙な動作感を調整可能にした模擬銃におけるトリガー装置を提供することである。
【課題を解決するための手段】
【０００８】
前記の課題を解決するため、本発明は、トリガーの操作によりコッキング状態にあるシアを解除するようにした模擬銃において、トリガーとシアとの間に配置される中間部材を銃本体に回転可能に軸支し、中間部材はその軸支点から離れた回転端部側にてシアと係脱可能に係止しており、上記軸支点とシアとの係止点との間にトリガーの操作力が作用するように構成するという手段を講じたものである。なお、本発明における動作感とは、トリガーのいわゆる引き心地ないしは落ち具合といわれるような、多分に感覚的なものを含むが、技術的にはトリガーの操作に必要な力とストロークが関与するトリガーの落ちるタイミングの把握し易さと考えられる。【０００９】
本発明では、トリガーとシアとの間に配置される中間部材を銃本体に回転可能に軸支した構成を有するので、トリガーの作用は中間部材の回転に置き換えられる。従って、トリガーの当接位置の選択により中間部材に対する作用点のモーメントアームの長さが変えられ、トリガー操作に必要な力を任意に設定することができる。【００１０】
中間部材にはトリガーの操作方向に対向する側からスプリングが作用しており、スプリングの強弱調整のために、上記スプリングを受け止める箇所に調整ネジが設けられるという構成は本発明にとって望ましいものである。銃の外部から使用者が調整ネジを操作可能であることによってスプリングの強弱を調整し、使用者自身の好みを反映することができるので、より使用感の向上した模擬銃が得られる。【００１１】
模擬銃がピストンシリンダー機構を備えており、コッキングによりピストンの加圧方向に作用する力がシアに加わっており、そのシアに加わった力を受け止めている中間部材に対して交差方向からトリガーが作用するようにした構成は、本発明の装置として好ましいものである。中間部材に対して交差方向からの作用であるため、作用点の位置選択により加える力の加減がより容易になる。【００１２】
また、シアが銃本体側に取り付けた第一シアと第一シアに取り付けた第二シアとを有しており、第二シアがピストンと係止し、中間部材は、トリガーの操作によりコッキング状態にある第一シアを解除するために第一シアと係止し、係止からの離脱により第二シアがピストンとの係止から離脱するようにした構成も望ましいものである。即ち、シアは第一シアと第二シアの二部材を組み合わせて構成することができる。しかし、本発明におけるシアは単一の部材から成る構成を妨げるものではない。
【発明の効果】
【００１３】
本発明は以上のように構成され、かつ、作用するものであるから、模擬銃におけるトリガーの動作感をトリガーとシアとの間に配置する中間部材により著しく向上させることができるという効果を奏する。また、本発明によれば、使用者自身の手により微妙な動作感を調整可能にすることが可能になり、使用者個人々々に適合した微妙な動作感が得られる模擬銃におけるトリガー装置を提供することができる。
【図面の簡単な説明】
【００１４】
【図１】本発明に係る模擬銃におけるトリガー装置の一例に関するもので、銃本体の一部を省略して示す縦断面説明図である。
【図２】同上の装置の主要部を拡大して示す断面説明図である。
【図３】さらに発射機構を中心とした部分を拡大して示す断面説明図である。
【図４】トリガー回りを拡大して示す断面説明図である。
【図５】本発明に係る模擬銃におけるトリガー装置において、コッキング後トリガーを操作する直前の状態を示す断面説明図である。
【図６】コッキング後トリガーを操作した後の、図５に続く状態を示す断面説明図である。
【発明を実施するための形態】
【００１５】
以下、図示の実施形態を参照して本発明をより詳細に説明する。実施形態に示す本発明に係る模擬銃１０はボルトアクションライフルをモデルとしたもので、銃本体に組み込まれている発射装置部１１と、その前部に位置するバレル部１２、発射装置部１１の後部に位置するストック部１３の各部分に大別される。
【００１６】
上記発射装置部１１は、ピストン１４とシリンダー１６とから成り、弾丸発射のために圧縮エアを生成するピストンシリンダー機構１５を有する操作部材２０と、後述するトリガー２２による発射操作を司る発射機構２５及び弾丸装填機構３５を有している。ピストンシリンダー機構１５はピストン１４とシリンダー１６とを有し銃本体の前後方向へ移動可能に取り付けられており、コッキングを行なう操作部材２０の前部を構成している。ピストンシリンダー機構１５の後側にはボルト部材２１が後述するように設けられており、また、ボルト部材２１は操作部材２０の後部を構成している。
【００１７】
ピストンシリンダー機構１５とボルト部材２１とを備えた操作部材２０は銃本体の前後方向へ移動可能であり、操作部材２０を操作するために、操作ハンドル部１７がボルト部材側に設けられている。操作ハンドル部１７は、ボルトアクションライフルに装備されボルトハンドルとされる部材を模した形状、構造のレバー１７ｃを備えている。図１、図２等では操作ハンドル部１７のレバー１７ｃを二点鎖線で記載しているが、それは発射装置部が図示の状態では見えないため設置位置のみを示したものである。
【００１８】
ピストンシリンダー機構１５を銃本体に移動可能に取り付ける構成は公知であり、実施形態の場合も一般的なものと同様で良いので詳細な説明は省略するが、実施形態に係る基本的構成は以下のとおりである。即ち、ピストンシリンダー機構１５は、シリンダー１６内に挿入されたピストン１４の後退によって蓄圧され、その解放によってピストン１４を前進させるピストンスプリング１８を有する。また、シリンダー１６は銃本体側に前進後退可能に組み込まれており、後退時に先端のノズル１９の前部に弾丸Ｂを上昇させる空間を開け、前進時にノズル１９の先端部にて弾丸Ｂをバレル後端の装弾部分に装填するように構成されている。
【００１９】
前述した発射操作を司る発射機構２５は銃本体側に支軸２２ａによって回転可能に軸支され、トリガースプリング２２ｂによって付勢されたトリガー２２を有している。トリガー２２は中間部材２３に当接するように突出した入力部２２ｃを前側に有し、また、中間部材２３に対する突出量を調整するトリガースクリュー２２ｄを後側に有している。中間部材２３は銃本体側に支軸２３ａにて軸支されており、二部材から成るシアの内の第一シア２４にトリガー２２の動作を伝達する（図３参照）。第一シア２４は前部の支軸２４ａにて銃本体側に回転可能に軸支され、上記中間部材２３、第一シア２４にはスプリング２３ｂ、２４ｂがそれぞれ作用している。また、第一シア２４は後部に係合部３３を有し、後述するインジケーター３０に作用するインジケーターロック３２の係止相手部３４と係止してその状態にてロック可能に構成されている。
【００２０】
第一シア２４には第二シア２７が支軸２７ａによって回転可能に軸支されており、第二シア２７はシアスプリング２７ｂによって、ピストン１４の方向へ突出するように付勢されている。一方、ピストン１４の後部には係合部２８が設けられており、ピストン後退位置で第二シア２７の突出した先端２９と係合するように構成されている（図５参照）。また、ピストン１４との係合のために、先端２９を通過させるスリット１６ａがシリンダー１６の下面の長手方向に形成されている。
【００２１】
上記のように中間部材２３は下部にて銃本体側に軸支され、上部に形成された係止部２３ｃにて第一シア２４の後部に形成された係止相手部２６と係止している（図４参照）。また、中間部材２３は支軸２３ａと係止部２３ｃとの間隔が任意に設定されるアーム長さを有しており、実施形態ではその半分ほどの位置にトリガー２２の入力部２２ｃが当接可能な状態にある。故に、トリガー入力部２２ｃの当接位置により中間部材２３の支軸２３ａから力点までのモーメントアームの長さが変えられるので、トリガー操作に必要な力を任意に設定することができる。
【００２２】
従って、トリガー２２に掛かるトルクは入力部２２ｃの当接位置が支軸２３ａに接近してアーム長さが短くなるほど大きくなり、支軸２３ａから離隔してアーム長さが長くなるほど小さくなることに留意し、かつまた、係止相手部２６と係止部２３ｃに生じる力を考慮するなどしてその位置を設定する。さらに、上記中間部材２３に作用するスプリング２３ｂの強さは調整ネジ２３ｄによって、調整可能に構成されている。調整ネジ２３ｄはレンチ等の工具による操作のための契合手段を有しており、工具を契合手段へ差し込んで調整することができる。２３ｅは調整用の空所であり、使用者自身が工具を操作してスプリング２３ｂの強弱を調整するために設けられている。
【００２３】
なお、前述の弾丸装填機構３５は模擬銃１０の一部であって、銃本体側に設けられたマガジン受け３６に着脱可能なマガジン３７を装着する形式のものとして図示されている。弾丸Ｂはマガジン３７の内部に充填された状態から、マガジンスプリング３８によって前方へ付勢され、給弾部３９を通ってバレル後方の位置に給弾される。
【００２４】
このような構成を有する本発明に係る模擬銃におけるトリガー装置の作動について、図面を参照して説明する。図１及び図２はコッキング操作が行なわれていない状態を示しており、レバー１７ｃは下方位置にある。次に、ハンドルレバー１７ｃを操作して上方位置に回転させるとともに、操作部材２０を後方へ一杯に引き、ピストンシリンダー機構１５においてピストン１４を後退させる。ピストン２４の後退により、その係合部２８は第二シア２７の先端２９と係合可能な位置に移動する。
【００２５】
図５はコッキング操作が行なわれて発射準備が完了した状態であり、後退したピストン１４の係合部２８と第二シア２７の先端２９とが係合した状態を示している。従って、ピストン１４を圧縮するピストンスプリング１８の作用力は、まず、第二シア２７に掛かることになり、第二シア２７が軸支されている第一シア２４に対しても負荷として掛かる。しかし、第一シア２４には戻し用のスプリング２４ｂも作用しており負荷は僅少である。
【００２６】
さらに  第一シア２４はその後端に設けられている係止相手部２６と、中間部材２３の上端に設けられている係止部２３ｃとの係止部分にて係止しており、上記負荷は中間部材２３にも及ぶ。しかし僅少な負荷であり、また、回転する中間部材２３の端部にて長手方向に掛かるので、中間部材２３の操作力を大きく左右するものではない。この状態において、中間部材２３には前方から後方へ向けてスプリング２３ｂの付勢力が作用しており、かつ、後方ではトリガー入力部２２ｃが接触可能に構成されているとともに、前方へ向けてトリガースプリング２２ｂの付勢力が作用した状態にある。
【００２７】
この状態においてトリガー２２を操作すると、上記僅少な負荷と、スプリング２３ｂの付勢力が作用している中間部材２３の中間部分を、トリガー入力部２２ｃで押すことになる。従って、トリガー２２の操作力は軽快なものとなり、使用者はその軽快な操作力と係止部分における係止の解除を動作感として指に感じ取ることになる。上記トリガー２２の突出量はトリガースクリュー２２ｄによって調整することができるので、トリガー２２を引くストロークを浅くも深くも調整することができる。また、係止相手部２６に係止部２３ｃを押し付ける強さは調整ネジ２３ｄによりスプリング２３ｂを介して変えられる。なお、トリガー操作の結果、係止相手部２６と係止部２３ｃとの係止が解除され、第一シア２４が下方に下がり、それに伴ってピストン１４の係合部２８と第二シア２７の先端２９との係合が外れ（図６）、弾丸Ｂが発射される。
【００２８】
動作感は、前記したようにトリガー２２のいわゆる引き心地ないしは落ち具合といわれるような、多分に感覚的なものを含むものである。しかし、本発明に係る模擬銃におけるトリガー装置よればトリガー２２の操作に必要な力は極めて軽量な範囲となり、また、ストロークも短くて済むとともに、トリガー２２に作用する設定条件は変更可能であるのでトリガー２２の落ちる微妙なタイミングも体感し易い。しかも、設定条件は使用者自身の必要に応じて調整できるものであるから、本発明に係るトリガー装置によればこの上なく適切なトリガー操作の際の動作感が得られる。
【００２９】
なお、本発明においてトリガー２２の引き心地に関係する調整要素は複数存在し、その中にはメーカーにおける製造段階で調整するものと、模擬銃を購入したユーザーが調整するものとがある。例えば、調整ネジ２３ｄによりスプリング２３ｂの強さを変えることは使用者によって可能であるが、この調整は係止部２３ｃを係止相手部２６に押し付ける強さに関係し、トリガー２２の引き心地に大きく関わるものである。よって、本発明によれば、トリガーのいわゆる引き心地ないしは落ち具合といわれるような、多分に感覚的な動作感を著しく向上させることができる。
【符号の説明】
【００３０】
１０  模擬銃
１１  発射装置部
１２  バレル部
１３  ストック部
１４  ピストン
１５  ピストンシリンダー装置
１６  シリンダー
１７  操作ハンドル部
１８  ピストンスプリング
１９  ノズル
２０  操作部材
２１  ボルト部材
２２  トリガー
２３  中間部材
２４  第一シア
２５  発射機構
２６  係止部
２７  第二シア
２８、３３  係合部
２９  第二シアの先端
３０  インジケーター
３１  インジケータースプリング
３２  インジケーターロック
３４  係止相手部
３５  弾丸装填機構
３６  マガジン受け
３７  マガジン
３８  マガジンスプリング
３９  給弾部
【図１】
0006758722.tif 000002
【図２】
0006758722.tif 000003
【図３】
0006758722.tif 000004
【図４】
0006758722.tif 000005
【図５】
0006758722.tif 000006
【図６】
0006758722.tif 000007